(57)【特許請求の範囲】
【請求項１】
前後方向にスタッキング可能な構造のフレームに座板と背凭れ板とを取付けてなるスタッキング椅子であって、前記フレームは、左右にそれぞれ前脚杆と後脚杆を立ち上げ形成するとともに、左右両側部において前脚杆と後脚杆とは後方へ向かうに連れて内方へ変位した接地杆で連結し、両前脚杆は後方上方へ湾曲しながら延びて後端で背凭れ支持杆にて連結し、また両後脚杆は上端が遊端となり、更に両前脚杆の内側間隔よりも両後脚杆の外側間隔が狭くなるように設定し、前記後脚杆の上端に座板の後部を固定するとともに、座板の前部を前記前脚杆に沿ってフレームの弾性を利用して上下変位可能となし、無着座状態で座板の前部が斜め上方に傾斜して前後方向にスタッキング可能に設定し、前後方向にスタッキングした際に、前方の椅子のフレームは後方の椅子のフレームの内側に嵌まるとともに、前方の椅子の座板は後方の椅子の座板の下方に重なり、また着座状態で座板の前部が下降してフレームに設けた係止部に係止してなることを特徴とするスタッキング椅子。
【請求項２】
前記前脚杆の背面側に沿って前記後脚杆の下端を略中心とする円弧状の支持杆を設け、前記座板の前部両側に取付けた案内具で前記支持杆に摺動可能に連結してなる請求項１記載のスタッキング椅子。
【請求項３】
前記両支持杆の後部は連結杆によって連結されており、前記背凭れ支持杆と該連結杆とに背凭れ板の上下部を取付けてなる請求項２記載の椅子の傾動装置。
【請求項４】
前記支持杆の背面側に係止部を突設し、前記案内具の内部に支持杆に対して抜止めする上下一対の連結具を設け、無着座状態で下方の連結具を前記係止部の下端に当止するとともに、着座状態で上方の連結具を前記係止部の上端に当止してなる請求項２記載の椅子の傾動装置。
【発明の詳細な説明】
【０００１】
【発明の属する技術分野】
本発明は、スタッキング椅子に係わり、更に詳しくは座板を前上がり傾斜状態としなて前後方向にスタッキング可能となし、場所を取らずに収納可能なスタッキング椅子に関する。
【０００２】
【従来の技術】
従来、座板に無負荷状態で複数の椅子を前後方向にスタッキング可能となした椅子は既に提供されている。この種の椅子は、前後方向にスタッキング可能な構造のフレームに座板と背凭れ板とを取付け、着座しないときの座板を前上がり傾斜した適度な角度に設定しておき、前後方向に椅子をスタッキングする際に座板を上下に重ねて収納するものである。
【０００３】
しかし、従来のスタッキング椅子において、着座に適した適度な傾斜角度のものは、スタッキングピッチが長いためスタッキング性が悪かった。そこで、スタッキング性を良くするために座板の傾斜角度を大きくすると、座板角度が急になり過ぎて着座時の快適性が損なわれる。
【０００４】
尚、スタッキング性を高めるために、フレームの後部に座板の後部を上下回動可能に取付けて、スタッキング時に座板を立起状態するタイプの椅子も存在するが、座板とフレームとに枢支部を設ける必要があって構造が複雑化するするとともに、座板に対する弾性的なクッション性を持たせることは困難である。
【０００５】
【発明が解決しようとする課題】
本発明が前述の状況に鑑み、解決しようとするところは、無着座時に座板を前上がり傾斜状態としなて前後方向にスタッキング可能となしたスタッキング椅子において、着座時の快適性を損なうことなく、スタッキング性を高めて収納効率を改善するとともに、着座時の弾性的なクッション性を備えたスタッキング椅子を提供する点にある。
【０００６】
【課題を解決するための手段】
本発明は、前述の課題解決のために、前後方向にスタッキング可能な構造のフレームに座板と背凭れ板とを取付けてなるスタッキング椅子であって、前記フレームは、左右にそれぞれ前脚杆と後脚杆を立ち上げ形成するとともに、左右両側部において前脚杆と後脚杆とは後方へ向かうに連れて内方へ変位した接地杆で連結し、両前脚杆は後方上方へ湾曲しながら延びて後端で背凭れ支持杆にて連結し、また両後脚杆は上端が遊端となり、更に両前脚杆の内側間隔よりも両後脚杆の外側間隔が狭くなるように設定し、前記後脚杆の上端に座板の後部を固定するとともに、座板の前部を前記前脚杆に沿ってフレームの弾性を利用して上下変位可能となし、無着座状態で座板の前部が斜め上方に傾斜して前後方向にスタッキング可能に設定し、前後方向にスタッキングした際に、前方の椅子のフレームは後方の椅子のフレームの内側に嵌まるとともに、前方の椅子の座板は後方の椅子の座板の下方に重なり、また着座状態で座板の前部が下降してフレームに設けた係止部に係止してなるスタッキング椅子を構成した。
【０００７】
ここで、前記前脚杆の背面側に沿って前記後脚杆の下端を略中心とする円弧状の支持杆を設け、前記座板の前部両側に取付けた案内具で前記支持杆に摺動可能に連結してなることが好ましい。また、前記両支持杆の後部は連結杆によって連結されており、前記背凭れ支持杆と該連結杆とに背凭れ板の上下部を取付けている。更に、前記支持杆の背面側に係止部を突設し、前記案内具の内部に支持杆に対して抜止めする上下一対の連結具を設け、無着座状態で下方の連結具を前記係止部の下端に当止するとともに、着座状態で上方の連結具を前記係止部の上端に当止してなることがより好ましい。
【０００８】
【発明の実施の形態】
次に本発明の実施形態を添付図面に基づき更に詳細に説明する。図１及び図２は本発明に係るスタッキング椅子を示し、図３〜図５はその要部を示し、図中符号１はフレーム、２は座板、３は背凭れ板、４は支持杆、５は案内具、６は係止部をそれぞれ示している。
【０００９】
前記フレーム１は、図１〜図３に示すように、前後方向にスタッキング可能な構造となっており、本実施形態では比較的直径の大きな断面円形の一本のスチールパイプを屈曲加工して左右にそれぞれ前脚杆７と後脚杆８を側面視略ハ字状に立ち上げ形成するとともに、左右両側部において前脚杆７と後脚杆８とは後方へ向かうに連れて内方へ変位した接地杆９で連結し、更に前記両前脚杆７，７は後方上方へ湾曲しながら延び、後端で互いに湾曲した背凭れ支持杆１０で連結し、また前記両後脚杆８，８は上端が遊端となっている構造である。即ち、両前脚杆７，７の内側間隔よりも両後脚杆８，８の外側間隔が充分に狭くなるように設定し、前後方向にスタッキングした際に、前方の椅子のフレーム１は後方の椅子のフレーム１の内側に嵌まり、また前方の椅子の前脚杆７は後方の椅子の前脚杆７の上方に位置するようになる。
【００１０】
更に、前記フレーム１の両前脚杆７，７の背面側に沿ってそれぞれ前記後脚杆８，８の下端を略中心とする円弧状の支持杆４，４を設けている。ここで、前記両支持杆４，４は、前下端部を側面視略Ｊ字形に屈曲して連結部４Ａとして、該連結部４Ａの先端部を前記前脚杆７，７の湾曲部背面側に溶接している。そして、左右両側の前記支持杆４，４の背面側にはブロック状の係止部６，６をそれぞれ突設している。また、両支持杆４，４の後部は連結杆１１によって連結されており、前記背凭れ支持杆１０と該連結杆１１とに背凭れ板３の上下部を取付けている。また、前記両後脚杆８，８の上端部間には後横杆１２が連結されている。この後横杆１２は、前記座板２から後脚杆８の内側に沿って固着した固定部１２Ａと、両固定部１２Ａから後脚杆８，８よりも前方へ湾曲して伸びた連結部１２Ｂとからなっており、この連結部１２Ｂを前方へ退避させることによって、後側の着座者の足が後横杆１２に当たらないようにしている。
【００１１】
前述のように構成したフレーム１に、前記座板２の後部両側部を座板２が前上がり傾斜状態となるように固定するとともに、該座板２の前部両側に取付けた案内具５で前記両支持杆４，４に摺動可能に連結している。つまり、前記座板２は、無着座状態で前部が比較的大きな角度で斜め上方に傾斜しており、小さなスタッキングピッチで前後方向にスタッキング可能となっている。また、着座時には、座板２の前部は前記支持杆４と案内具５で案内され、前記前脚杆７に沿ってフレーム１の弾性を利用して上下変位可能となし、座板２が略水平状態となった時に前記案内具５が支持杆４の係止部６に当止され、その以上の下方変位は規制されるのである。
【００１２】
前記案内具５は、前記座板２の前部を支持するとともに、支持杆４に沿って座板２の前部を案内するものであれば、特に構造は限定されない。前記案内具５の一例として図示したものは、前記支持杆４を包囲するように断面略Ｕ字状となした金属製の支持部材１３と、該支持部材１３の内部に周縁部に嵌合する合成樹脂製のスライダー部材１４と、更に支持杆４に対して抜止めする上下一対の連結具１５，１５とから構成されている。そして、無着座状態で下方の連結具１５を前記係止部６の下端に当止するとともに、着座状態で上方の連結具１５を前記係止部６の上端に当止するようにしている。
【００１３】
この案内具５の具体構造は、図３に示されている。つまり、前記支持部材１３は、スチール板を中心で湾曲して折返した構造であり、両側板１６，１６の両端部には前記連結具１５の取付孔１７，１８が対となって形成されている。一方の取付孔１７は、他方の取付孔１８よりも直径が大きくなっている。また、前記スライダー部材１４は、前記支持部材１３の内周縁の形状に合致し、周縁部を覆い得る形状に成形されたものであり、前記取付孔１７，１８に対応する位置に、該取付孔１７と同径の通孔１９，１９を形成している。また、前記連結具１５は、内周面にネジを切った頭付き筒状ネジ２０と、外周面にネジを切った頭付き軸ネジ２１、即ち通常のネジとからなり、前記支持部材１３にスライダー部材１４を嵌着した状態で、前記支持杆４の前方から外挿し、一方の取付孔１７から挿入した筒状ネジ２０を両通孔１９，１９を貫通させ、他方の取付孔１８から挿入した軸ネジ２１を前記筒状ネジ２０に螺合して抜止めする。また、前記支持部材１３は適宜な方法で前記座板２の両側部に固定する。
【００１４】
ここで、前記両連結具１５，１５には、別途筒状のスライダーを外挿し、該スライダーを前記支持杆４の背面に摺接するようにしても良いが、本実施形態では前記支持部材１３、スライダー部材１４の後部側が開放しているので、指詰め防止部材２２の円筒部２２Ａを両連結具１５，１５に嵌挿するとともに、その中間部の閉鎖板２２Ｂで前記支持部材１３の開放部を塞いでいる。尚、前記スライダー部材１４の内奥部と前記指詰め防止部材２２の円筒部２２Ａとの間隔は、前記支持杆４の直径よりも大きく設定し、クリアランスを設けている。
【００１５】
ここで、前記支持杆４の曲率半径は、前記後脚杆８の下端部を中心として下方になるにつれて大きくなるように設定している。尚、支持杆４を円弧としてその円の中心を後脚杆８の下端よりも後方に設定しても同様である。前記座板２に着座時に後脚杆８の前方への弾性傾倒に伴って該座板２の前部が下降すると、最初は図４に示すように支持杆４と指詰め防止部材２２の円筒部２２Ａが離れていたのが、支持杆４の背面側に接触するようになり、その後は該支持杆４及び前脚杆７を前方へ押しながら下方へ摺動案内される。そして、着座時には、体重が軽いと前記フレーム１の弾性復元力と体重が釣り合った状態で止まり、また体重が重いと前記案内具５が支持杆４に突設した係止部６に当止されて止まり、座板２は略水平状態となる。また、前記背凭れ板３に凭れ掛かる場合、体重が重いと、背凭れ板３を強く後方へ押すので、前記フレーム１をより変形量が大きく後方へ弾性傾倒させる。それにより、前記座板２に加わる体重が重くても、前記支持杆４に対する案内具５の連結具１５若しくは前記指詰め防止部材２２の円筒部２２Ａの接触圧力が大きくなって、座板２の下方移動に対する抵抗力が大きくなるのである。従って、本発明のスタッキング椅子は着座者の体重に応じてその座板２の弾性力も大きくなり、体重感応椅子となっている。
【００１６】
尚、前述の構造の案内具５の代わりに、リニアスライダーのように支持杆４に完全に密着した状態で摺動移動するものを用いても良い。また、前記支持杆４を取り除いて、前記前脚杆７に座板２を案内具５で摺動可能に連結しても良い。
【００１７】
図６は、複数の椅子を前後方向にスタッキングした状態を示し、無着座状態では前記座板２は比較的大きな角度の前上がりの傾斜状態となっているため、椅子を前後に重ねた際に、前後の椅子の座板２，２が充分に重なり、スタッキングピッチを小さくすることが可能である。
【００１８】
【発明の効果】
以上にしてなる本発明のスタッキング椅子は、前後方向にスタッキング可能な構造のフレームに座板と背凭れ板とを取付けてなるスタッキング椅子であって、前記フレームは、左右にそれぞれ前脚杆と後脚杆を立ち上げ形成するとともに、左右両側部において前脚杆と後脚杆とは後方へ向かうに連れて内方へ変位した接地杆で連結し、両前脚杆は後方上方へ湾曲しながら延びて後端で背凭れ支持杆にて連結し、また両後脚杆は上端が遊端となり、更に両前脚杆の内側間隔よりも両後脚杆の外側間隔が狭くなるように設定し、前記後脚杆の上端に座板の後部を固定するとともに、座板の前部を前記前脚杆に沿ってフレームの弾性を利用して上下変位可能となし、無着座状態で座板の前部が斜め上方に傾斜して前後方向にスタッキング可能に設定し、前後方向にスタッキングした際に、前方の椅子のフレームは後方の椅子のフレームの内側に嵌まるとともに、前方の椅子の座板は後方の椅子の座板の下方に重なり、また着座状態で座板の前部が下降してフレームに設けた係止部に係止してなるので、着座時の快適性を損なうことなく、前後方向へのスタッキング性を高めて収納効率を改善することができ、しかも着座時の弾性的なクッション性を備えた優れた機能を有するのである。
【００１９】
また、前記前脚杆の背面側に沿って前記後脚杆の下端を略中心とする円弧状の支持杆を設け、前記座板の前部両側に取付けた案内具で前記支持杆に摺動可能に連結してなるので、着座時の座板の安定性に優れているとともに、左右への座板の揺れも抑制することができる。更に、前記両支持杆の後部は連結杆によって連結されており、前記背凭れ支持杆と該連結杆とに背凭れ板の上下部を取付けたので、背凭れ板を安定に支持できる。
【００２０】
そして、前記支持杆の背面側に係止部を突設し、前記案内具の内部に支持杆に対して抜止めする上下一対の連結具を設け、無着座状態で下方の連結具を前記係止部の下端に当止するとともに、着座状態で上方の連結具を前記係止部の上端に当止してなるので、着座時に座板の前部を確実に当止し、略水平な安定な着座状態を実現できるのである。
【図面の簡単な説明】
【図１】本発明に係るスタッキング椅子の側面図である。
【図２】同じく正面図である。
【図３】案内具の具体構造を示す分解斜視図である。
【図４】座板の前部を案内具にて支持杆に摺動可能に連結した状態を示す部分縦断面図である。
【図５】同じく部分横断面図である。
【図６】複数の椅子を前後方向にスタッキングした状態を示す側面図である。
【符号の説明】
１  フレーム              ２  座板
３  背凭れ板              ４  支持杆
５  案内具                ６  係止部
７  前脚杆                ８  後脚杆
９  接地杆                １０  背凭れ支持杆
１１  連結杆              １２  後横杆
１３  支持部材            １４  スライダー部材
１５  連結具              １６  側板
１７  取付孔              １８  取付孔
１９  通孔                ２０  筒状ネジ
２１  軸ネジ              ２２  指詰め防止部材
２２Ａ  円筒部            ２２Ｂ  閉鎖板
【図１】
0003617350.tif 000002
【図２】
0003617350.tif 000003
【図３】
0003617350.tif 000004
【図４】
0003617350.tif 000005
【図５】
0003617350.tif 000006
【図６】
0003617350.tif 000007